(57)【特許請求の範囲】
【請求項１】
壁部内に埋め込まれる埋設部と、壁部外に露出して前記壁部の壁面に取外し可能に設けられる操作パネル部とを有して構成されるコントローラ本体と、
前記操作パネル部の内側に位置して前記埋設部内に設けられた回路基板と、
前記操作パネル部の取外しに伴い露出する、前記回路基板における前記操作パネル部側の板面を覆う透視カバーと
を具備したことを特徴とするコントローラ装置。
【請求項２】
前記透視カバーは、前記埋設部に脱着可能に支持されるものであることを特徴とする請求項１に記載のコントローラ装置。
【請求項３】
前記回路基板は、前記操作パネル部側に情報表示用の表示部を備え、
前記操作パネル部は、前記透視カバーを通じて前記表示部と臨む箇所に情報表示用窓部を備えている
ことを特徴とする請求項１または請求項２に記載のコントローラ装置。
【請求項４】
前記回路基板は、前記操作パネル部側の板面に発光部を備え、
前記操作パネル部は、発光部用窓部を備え、
前記透視カバーは、前記発光部と対向する地点から前記発光部用窓部へ前記発光部の光を導く導光部を備えている
ことを特徴とする請求項１ないし請求項３のいずれか一つに記載のコントローラ装置。
【請求項５】
前記導光部は、
前記透視カバーの前記回路基板側から前記発光部へ向かって突き出る入射用突起部と、
前記入射用突起部の一部とラップさせて前記透視カバーの前記操作パネル部側から前記発光部用窓部へ向かって突き出る出射用突起部と
を備えて構成されることを特徴とする請求項４に記載のコントローラ装置。
【請求項６】
前記回路基板は、前記操作パネル部側の板面に、押部を有する入力スイッチ部を備え、
前記操作パネル部は、前記入力スイッチ部を操作する操作キー部を備え、
前記透視カバーは、前記押部を貫通させて前記操作キー部へ導く通孔を有している
ことを特徴とする請求項１ないし請求項５のいずれか一つに記載のコントローラ装置。
【請求項７】
前記操作パネル部は、別な意匠が施された第２の操作パネル部と交換可能である
ことを特徴とする請求項１ないし請求項６のいずれか一つに記載のコントローラ装置。
【発明の詳細な説明】
【技術分野】
【０００１】
本発明は、例えば部屋の壁面に据付けられて利用されるコントローラ装置に関する。
【背景技術】
【０００２】
一戸建てやマンションなどの住宅で利用される床暖房装置など住宅機器の多くにおいては、部屋の壁面にコントローラ装置を据付けて、このコントローラ装置によって機器の運転を制御している。
このような壁面据付用コントローラ装置には、一般に特許文献１に開示されている床暖房装置のコントローラ装置のように、壁部に据付けられるコントローラ装置内に、制御用の回路基板を収めた構造が用いられている。コントローラ装置には、壁部に埋め込まれる埋設部と、室内に露出する操作パネル部とを組み合わせた構造を用いて、操作パネル部を壁面から取外し可能にした構造が多く用いられている。そして埋設部に収められる回路基板の表側が操作パネル部で覆われる構造を用いて、メンテナンスなどを行いやすくしていた。
【０００３】
このメンテナンス性の点について述べると、コントローラ装置の内部を確認するときは、装置内部の回路基板やその周辺を目視して観察することが行われるが、壁面据付用コントローラ装置は、電源ケーブルや利用機器へ延びる利用機器のケーブルが接続されるために、一旦、壁部に据付けてしまうと、コントローラ装置を壁部から取外すことが面倒である。このため、操作パネル部だけを取り外して内部を目視するという作業を採用して、メンテナンスを行いやすくしていた。
【特許文献１】登録実用新案第３０２０８７９号公報
【発明の開示】
【発明が解決しようとする課題】
【０００４】
ところが、回路基板は、操作パネル部の内側に配置されることで目視しやすくしているものの、反面、操作パネル部を取り外すと、回路基板の各種回路やスイッチ類を搭載した板面が室内（外部）に露出する。
このため、装置内部を観察する作業中、誤って回路基板に触れ、回路基板に搭載されている回路部品などを損傷させるおそれがある。特に操作パネル部は、メンテナンスの実施者が外すだけでなく、機器を利用するユーザーによっても比較的容易に外すことが可能であるため、こうした点について考慮する必要がある。
【０００５】
また、情報表示用の表示部としてのＬＣＤやＬＥＤを回路基板上に設け、コントローラ装置の使用時に外部から情報を確認できるよう構成する場合、操作パネル部上の、表示部に相対する箇所に空隙を設けて窓部とし、この窓部から回路基板上の表示部を確認するよう構成する必要がある。しかしながらこの場合、表示部であるＬＣＤやＬＥＤが実質的に外部に露出してしまっているため、部品の損傷のおそれがある。そこで、操作パネル部が壁面に取り付いた状態でも表示部を確認でき、かつ表示部の保護を図るために操作パネル部の、表示部に相対する箇所に透視部を形成して、当該透視部から回路基板が目視できるようにすることが考えられる。
【０００６】
ところが、この操作パネル部だと、通常使用されている合成樹脂部材と、透視可能な樹脂部材とをいった複数の樹脂材料を組み合わせて成形するという、難しい樹脂成形が強いられる。このため、操作パネル部における成形上のコスト負担は大きい。
そこで、本発明の目的は、装置内部の目視をするにあたり回路基板及び回路基板上の部品を損傷する危険性を低減できるコントローラ装置を提供することにある。
【課題を解決するための手段】
【０００７】
請求項１に記載の発明は、上記目的を達成するために、操作パネル部の取外しに伴い露出する、回路基板における操作パネル部側の板面を覆う透視カバーを設けた。
同構成により、操作パネル部を壁面から取り外すと、回路基板は、透視カバーで覆われた状態で室内に露出し、該回路基板及び回路基板上の部品を損傷する危険性が低減される。
【０００８】
請求項２に記載の発明は、さらに透視カバーが、回路基板に影響されずに取り付けられるよう、透視カバーは、埋設部に脱着可能に支持される構造を採用した。
請求項３に記載の発明は、操作パネル部側に情報表示用の表示部を備える回路基板においては、回路基板上の表示部を損傷する危険性を低減しつつ簡単な構造で表示が行えるよう、操作パネル部には、透視カバーを通じて表示部と臨む箇所に情報表示用窓部を備えた構造を採用した。
【０００９】
請求項４に記載の発明は、操作パネル部側に発光部を備える回路基板においては、回路基板上の発光部を損傷する危険性を低減しつつ簡単な構造で発光部の光を操作パネル部へ導けるよう、透視カバーには、発光部と対向する地点から操作パネル部に形成されている発光部用窓部へ発光部の光を導く導光部を備える構造を採用した。
請求項５に記載の発明は、さらに発光部の位置と発光部用窓部の位置がずれているようなときにでも容易に対応できるよう、導光部には、透視カバーの回路基板側面から発光部へ向かって突き出る入射用突起部と、当該入射用突起部の一部とラップさせて透視カバーの操作パネル部側から発光部用窓部へ向かって突き出る出射用突起部とを備えた構造を採用した。
【００１０】
請求項６に記載の発明は、操作パネル部側に、押部をもつ入力スイッチ部を備える回路基板においては、回路基板上の入力スイッチ部を損傷する危険性を低減しつつ簡単な構造で操作パネル部から操作できるよう、透視カバーには、入力スイッチ部の押部を貫通させる通孔を形成し、操作パネル部に形成されている操作キー部へ押部を導く構造を採用した。
【００１１】
請求項７に記載の発明は、さらに別な意匠が施された操作パネル部と交換可能として、透視カバーはそのままに、適宜に操作パネル部の付け替えが行える構成とした。
【発明の効果】
【００１２】
請求項１の発明によれば、操作パネル部を壁面から取り外すと、回路基板が透視カバーで覆われた状態で室内（外部）に露出するから、回路基板を含め埋設部内の目視は、透視カバーを通じて行えばよい。
したがって、装置内部の目視は、操作パネル部はそのままに、直接、回路基板に触れずにでき、目視するにあたり回路基板及び回路基板上の部品を損傷する危険性を低減することができる。しかも、操作パネル部は従来と同等のものを用いることができるので、複数の合成樹脂材料を用いた成形が強いられたり、操作性が損なわれたりせずにすむ。
【００１３】
請求項２の発明によれば、透視カバーは、回路基板に影響されずに据付けることができる。
請求項３の発明によれば、情報表示用の表示部を備える回路基板においては、透視カバーを通じて、表示部から操作パネル部に形成した情報表示用窓部へ情報を導くという簡単な構造で、回路基板上の表示部を損傷する危険性を低減しつつ表示部からの情報を操作パネル部で表示させることができる。
【００１４】
請求項４の発明によれば、発光部を備える回路基板においては、操作パネル部に発光部用窓部を形成し、透視カバーに導光部を形成するという簡単な構造で、回路基板上の発光部を損傷する危険性を低減しつつ発光部からの光を操作パネル部へ導くことができる。
請求項５の発明によれば、発光部の光が操作パネル部へ効果的に導けるので、操作パネル部において、明瞭に発光部からの光を表示させることができる。しかも、入射用突起部と出射用突起部は、一部がラップさせてあれば導光が行われるから、両者の位置関係の自由度は高く、たとえ発光部の位置と発光部用窓部の位置がずれているようなときにでも容易に導光経路を確保できる利点がある。
【００１５】
請求項６の発明によれば、入力スイッチ部を備える回路基板においては、透視カバーに形成した通孔を通じて、入力スイッチ部の押部を操作パネル部の操作キー部へ導くという簡単な構造で、回路基板上の入力スイッチ部を損傷する危険性を低減しつつ操作パネル部から操作キーオンオフスイッチ部を操作することができる。
請求項７の発明によれば、埋設部側の変更なしに、適宜に、別な意匠が施された操作パネル部と付け替えができ、容易に、種々の意匠が施されたコントローラ装置を製作することができる。
【発明を実施するための最良の形態】
【００１６】
以下、本発明を図１〜図６に示す一実施形態にもとづいて説明する。
図１は、一般の住宅で利用される住宅機器、例えば、例えばひと続きのリビングルームαとダイニングルームβ（隣接する２つのゾーン）とを床暖房する電気パネル式の床暖房装置を示している。
同床暖房装置は、例えば、リビングルームαの床下に設置されたパネルヒータ１（発熱体）と、ダイニングルームβの床下に設置されたパネルヒータ２（発熱体）と、左右のルームα，βの境界に形成されている壁部３の壁面に据付けた１台の床暖房用のコントローラ装置５（本願のコントローラ装置に相当）とから構成される。
【００１７】
コントローラ装置５には、例えば、１台で、リビングルームαとダイニングルームβとの両方の床暖房制御が行える２ｃｈ型が用いてある。図２には、このコントローラ装置５の側断面図が示され、図３には、このコントローラ装置５を分解した斜視図が示されている。
このコントローラ装置５には、コントローラ本体８に、パネルヒータ１（リビングルームα側）の運転を制御する操作キー部群Ｘとパネルヒータ２（ダイニングルームβ側）のの運転を制御する操作キー部群Ｙを組み付けた構造が用いられている。
【００１８】
具体的には、図１〜図３に示されるようにコントローラ本体８は、例えば、壁部３の内部に埋め込まれる箱形のハウジング部６（本願の埋設部に相当）と、壁部３の壁面に沿って配置される表面パネル部７（本願の操作パネル部に相当）とを組み合わせて構成される。さらに述べると、ハウジング部６は、合成樹脂部材から成形されていて、前方開口端には、壁面上に配置されるフランジ部６ａが形成してある。表面パネル部７の本体は、平板状の合成樹脂成形品から形成されている。この本体が、フランジ部６ａの外周部に脱着可能に嵌挿され、表面パネル部７の全体をハウジング部６の前方端に取外し可能に組み付けている。つまり、表面パネル部７は、ハウジング部６の前方側の開口を覆うように組み付く。
【００１９】
ハウジング部６内には、図２に示されるようにリビングルームαとダイニングルームβといった２系統の電源端子９（片側しか図示せず）や同２系統のヒータ端子１０（片側しか図示せず）が、２系統の通電回路を搭載した通電ボード１１（図３に一部を図示）と共に収められている。これで、図１に示されるように２系統の電源端子９に、家庭用の個別のブレーカ（図示しない）から壁部３内へ配線された電源ケーブル１６ａ，１６ｂ（市中電源）を接続し、２系統のヒータ端子１０に、リビングルームαのパネルヒータ１やダイニングルームβのパネルヒータ２から延びたヒータケーブル１７ａ，１７ｂを接続することにより、２系統の通電回路を通じて、ヒータパネル１，２の通電が制御されるようにしている。
【００２０】
またフランジ部６ａの前面には、図２および図３に示されるように表示ボード２０（本願の回路基板に相当）が据付けられている。この据付けにより、表示ボード２０は、表面パネル部７の内側で、同表面パネル部７のパネル面に沿って並行に配置される。この表示ボード２０は、表面パネル部７のパネル面の大部分を占める大きさを有していて、通電ボード１１を覆い隠している。これにより、表示ボード２０の表面パネル部７側は、表面パネル部７を取り外すにしたがい、室内（外部）に露出して、メンテナンスなどで求められる観察が容易に行えるようにしている。
【００２１】
この表示ボード２０の前面側（表面パネル部７側）には、透視カバー２３が設けられている。この透視カバー２３にて、表示ボード２０の前面（表面パネル部７側の板面）の全体、すなわち表面パネル部６を取り外したときに室内（外部）に露出する表示ボード２０の各部を覆っている。この透視カバー２３は、透視可能な部材、例えば透明な樹脂部材で成形されていて、当該透視カバー２３の各部を通じて、装置内部、すなわちハウジング部６に据付けた表示ボード２０やその周辺が目視できるようにしている。同透視カバー２３（透明カバー）の各部の構造ならびに取付け構造など、透視カバー２３については後述する。
【００２２】
さらに表示ボード２０について説明を進めると、図２および図３に示されるように表示ボード部２０の前面の上段には、情報を表示する表示部（本願の情報表示用の表示部に相当）、例えば液晶表示式の表示モジュール部２４が設けられている。表示モジュール部２４の下側の前面部分には、ＣＰＵやその周辺回路で形成される制御部２５や、室温センサー（図示しない）や、多数、例えば横２列で並べた１０個のキーオンオフスイッチ部２６ａ〜２６ｊ（本願の入力スイッチ部に相当）や、発光部であるところの４個のインジケータ用の発光ダイオード２８ａ〜２８ｄが設けられている。なお、キーオンオフスイッチ部２６ａ〜２６ｊは、それぞれ前方へ突き出る押ノブ部２７ａ〜２７ｊ（本願の押部に相当）を備えている。
【００２３】
ここで、上記透視カバー２３について説明すると、透視カバー２３は、図２および図３に示されるように表示ボード２０の前面を覆う大きさをもつ前面壁部２３ａと、同前面部２３ａの全周の縁部から後方へ突き出た側壁部２３ｂとを有した扁平な一部品から構成されている。そして、側壁部２ｂをフランジ部６ａの前面に突設された枠形の嵌挿部６ｂに嵌合させることによって、透視カバー２３はハウジング部６に脱着可能に支持させてある。透視カバー２３のうち前面壁部２３ａは、表示ボード２０の前面形状にならう形状に成形されていて、前方へ突き出た上段部分にて、表示モジュール部２４の前面の液晶表示面２４ａを覆い、平坦な中下段部分にて、制御部２５や、室温センサー（図示しない）や、キーオンオフスイッチ部２６ａ〜２６ｊや、インジケータ用の発光ダイオード２８ａ〜２８ｄを覆っている。
【００２４】
このうち液晶表示面２４ａと向き合う透視カバー部分２３ｃは、同部分と向き合う表面パネル部７の上段部分に形成された表示窓３１（本願の情報表示用窓部に相当）に臨み、表示パネル部１５の上側に、温度設定レベル表示や時刻表示やヒータ通電中の表示やタイマー運転表示などを行う情報表示部３２を形成している。
キーオンオフスイッチ部２６ａ〜２６ｊの押ノブ部２７ａ〜２７ｊは、いずれも前面壁部２３ａの平坦部２３ｄに形成された通孔３３を貫通して、表示窓３１の下側のパネル面部に形成されている通孔３４に挿入される。そして、それぞれ押ノブ部２７ａ〜２７ｊの先端は、通孔３４を通じて、表面パネル部７の前面に貼り付けた表面シート３５で形成される操作キー部へ導かれ、当該表面シート３５を操作面３６として、同操作面３６上に、床暖房運転に求められる２ｃｈの操作キー部群Ｘ，Ｙを形成している。例えば床温度を調整する温度設定操作キー部３７ａ，３７ｂや床暖房運転をオンオフする運転操作キー部３８ａ，３８ｂや、タイマー床暖房運転をオンオフするタイマー運転操作キー部３９ａ、３９ｂや、タイマー時刻設定を行うためのタイマー設定操作キー部４０や、時刻の調整を行うための時計操作キー部４１を形成する。表示ボード２０の背面は、コネクタ部４５（図２のみ図示）で後側の通電ボード１１に接続され、操作キー部群Ｘ，Ｙの操作にしたがい、それぞれパネルヒータ１，２が制御されるようにしている。なお、図３中の３５ａは、表示窓３１に合わせて表面シート３５に形成した開口を示している。
【００２５】
また発光ダイオード２８ａ〜２８ｄの光は、図２に示されるように透視カバー２３の前面壁部分に形成された導光部４７を介して、表面パネル部７の操作面上に形成されたインジケータ用の窓部、例えば運転操作キー部３８ａ，３８ｂやタイマー運転操作キー部３９ａ，３９ｂと並ぶ点灯表示用の窓部３８ｃ，３８ｄ，３９ｃ、３９ｄ（いずれも本願の発光部用窓部に相当）へ導光されるようにしている。なお、窓部３８ｃ，３８ｄ，３９ｃ、３９ｄと対応する表面シート３５の各部分は開口している。図３中の３５ｂは、その開口をそれぞれ示している。導光部４７には、たとえレイアウトの制約により、発光ダイオード２８ａ〜２８ｄの位置と、操作面上に形成されるインジケータ用の窓部３８ｃ，３８ｄ，３９ｃ、３９ｄの位置とがずれていたような場合にも対応できる構造が用いられている。具体的には導光部４７は、図４および図５に示されるように透視カバー２３の裏面（表面ボード側の板面）から、それぞれ発光ダイオード２８ａ〜２８ｄの発光面へ向かって突き出た大径の入射用突起部４８と、一部を入射用突起部４８とラップさせて、透視カバー２３の表面（表面パネル部側の板面）から、それぞれ窓部３８ｃ，３８ｄ，３９ｃ、３９ｄへ向かって突き出た幅狭の出射用突起部４９とを組み合わせた構造が用いられている。これにより、入射側と出射側とが多少ずれていても、入射用突起部４６と出射用突起部４７との一部がラップさえしていれば、発光ダイオード２８ａ〜２８ｄの光が表面パネル７の操作面へ導けるようにしている。なお、本実施形態では、例えば出射用突起部４９は、角形の窓部３８ｃ，３８ｄ，３９ｃ、３９ｄの開口に収まる形状が用いてある。
【００２６】
なお、７ａは、表面パネル７と交換可能な第２の表面パネルを示している。具体的には、同表面パネル７ａは、当初の表面パネル７とは、異なる意匠のパネル、例えばボタン部の形状を異ならせ、表面パネル７ａの前面を覆う横開き式の扉体５０を設けた構造が用いられていて、製品に応じて、表面パネル７と交換が行える構造にしてある。
つぎに、作用について説明する。今、例えばメンテナンスなどにより、コントローラ装置５の内部を観察する必要が生じたとする。
【００２７】
このときには、図６に示されるように表面パネル部７を、壁部３の壁面から取り外す。すると、表示ボード２０が表れる。ここで、表示ボード２０の室内（外部）に露出する側、すなわち各種回路や各種スイッチ類が搭載された板面は、その全体（表面パネル部７側の板面）が図６に示されるように透視カバー２３により覆われているから、作業者は、透視カバー２３を通して、ハウジング部６の内部の表示ボード２０やその周辺（装置内部）を目視すればよい。
【００２８】
これにより、表面ボード２０の各種回路や各種スイッチ類などを含め、ハウジング部６内は、透視カバー２３によって、表面ボード２０と触れるおそれなく、観察することができる。
したがって、装置内部の目視をするにあたり表示ボード２０及び表示ボード２０上の部品が損傷する危険性を低減することができ、安全に、コントローラ装置５の内部を観察することができる。しかも、透視カバー２３で表面ボード２０を覆う構造は、表面パネル部７を用いて表面ボード２０を覆うのみであった従来の構成に比して透視カバー２３を挟持するようにしただけのものであるので、表面パネル部７は従来とほぼ同様の構造を用いれば良く、よって同パネル部７の成形を難しくせずにすむ。むろん、表面パネル部７は、当初の操作性がそのまま維持されるから、表面パネル部７の操作性が低下するおそれもない。特に透視カバー２３は、ハウジング部６に支持させる構造が用いてあるから、表面ボード２０に影響されずに、表面パネル部７の前方に取り付けることができ、どのような表面ボード２０にも対応できる。そのうえ、表面パネル７の代わりに、図３に示されるような意匠の異なる表面パネル７ａと付け替えるときも、透視カバー２３を含めハウジング部６側は、一切、変更を伴わずに、適宜に付け替えることもできる。これにより、容易に、種々の意匠が施されたコントローラ装置５を製作することができる。
【００２９】
加えて、透視カバー２３により、表面パネル部７は、表示窓３１を形成するという簡単な構造で、表示ボード２０上の表示モジュール２４を損傷する危険性を低減しつつ液晶表示面２４ａからの情報を表示させることができたり、透視カバー２３自体に導光部４７を形成するという簡単な構造で、表示ボード２０上の発光ダイオード２８ａ〜２８ｄを損傷する危険性を低減しつつインジケータ用の発光ダイオード２８ａ〜２８ｄの光を表面パネル部７の表側へ導くことができたり、キーオンオフスイッチ部２６ａ〜２６ｊの押ノブ部２７ａ〜２７ｊを通す通孔３３を形成するという簡単な構造で、表示ボード２０上のキーオンオフスイッチ部２６ａ〜２８ｊを損傷する危険性を低減しつつキーオンオフスイッチ部２６ａ〜２６ｊを操作することができ、種々の機能をもつ表面ボード２０に対応しやすい利点もある。
【００３０】
特に入射用突起部４８と出射用突起部４９とを用いた導光部４７は、発光ダイオード２８ａ〜２８ｄからの光を表面パネル部７上において明瞭に点灯表示させるだけでなく、図４に示されるように両者の一部がラップしてさえしていれば、透視カバー２３を通じて導光が行われるから、発光ダイオード２８ａ〜２８ｄと点灯表示窓部３８ｃ、３８ｄ、３９ｃ、３９ｄとの位置関係の自由度は高く、発光ダイオード２８ａ〜２８ｄの位置と表示位置とが多少ずれていても、発光ダイオード２８ａ〜２８ｄからの光を表面パネル部７へ導くことができる。つまり、たとえ据付け上の制約から、同一位置に発光ダイオード２８ａ〜２８ｄと表示位置とが配置できないような場合にも、容易に導光経路を確保できる利点がある。
【００３１】
なお、本発明は上述した一実施形態に限定されるものではなく、本発明の主旨を逸脱しない範囲内で種々変更して実施しても構わない。例えば一実施形態では、露出する回路基板を一枚の透視カバーで覆う構造を一例に挙げたが、これに限らず、複数に分割した透視カバーを用いて、露出する回路基板を覆うようにしてもよい。むろん、透視カバーの覆い方や覆う構造には限定されるものではない。また一実施形態では、床暖房装置のコントローラ装置に本発明を適用した例を挙げたが、これに限らず、他の装置や機器のコントローラ装置に本発明を適用してもよいことはいうまでもない。
【図面の簡単な説明】
【００３２】
【図１】本発明の一実施形態に係るコントローラ装置の壁面に据付けた状態を示す斜視図。
【図２】同コントローラ装置の側断面図。
【図３】同コントローラ装置の分解斜視図。
【図４】図２中のＡ部の導光部を拡大して示す側断面図。
【図５】同導光部の構造を示す分解斜視図。
【図６】表面パネルを取外したコントロール装置を示す斜視図。
【符号の説明】
【００３３】
３  壁部
５  コントローラ装置
６  ハウジング部（埋設部）
７，７ａ  表面パネル部（操作パネル部）
８  コントローラ本体
２０  表示ボード（回路基板）
２３  透視カバー
２４  表示モジュール（表示部）
２６ａ〜２６ｊ  キーオンオフスイッチ部（入力スイッチ部）
２８ａ〜２８ｄ  発光ダイオード（発光部）
３１  表示窓（情報表示用窓部）
３７ａ，３７ｂ  温度設定操作部（操作キー部）
３８ａ，３８ｂ  運転操作キー部（操作キー部）
３８ｃ，３８ｄ，３９ｃ，３９ｄ  点灯表示用窓部（発光部用窓部）
３９ａ，３９ｂ  タイマー運転操作キー部（操作キー部）
４０  タイマー設定操作キー部（操作キー部）
４１  時計操作キー部（操作キー部）
４７  導光部
４８  入射用突起部
４９  出射用突起部
【図１】
0005049152.tif 000002
【図２】
0005049152.tif 000003
【図３】
0005049152.tif 000004
【図４】
0005049152.tif 000005
【図５】
0005049152.tif 000006
【図６】
0005049152.tif 000007